【手続補正書】
【提出日】平成17年10月17日(2005.10.17)
【手続補正１】
【補正対象書類名】明細書
【補正対象項目名】特許請求の範囲
【補正方法】変更
【補正の内容】
【特許請求の範囲】
【請求項１】  ベースと、
上記ベースに連結されるとともに、キーボード取り付け孔が設けられたトップカバーと、
上記ベースおよび上記トップカバーに夫々設けられ、上記ベースと上記トップカバーとが連結された際に互いに対向する座部と、
上記キーボード取り付け孔に設置されるキーボードと、
上記ベースに設けられ、表面および裏面にグランド用端子部を有する回路基板と、
上記キーボードと上記回路基板との間に設けられ、上記トップカバーの座部と上記回路基板のグランド用端子部との間に介在されるとともに、上記トップカバーの座部と上記グランド用端子部とを電気的に導通させる導通片を有する金属製のシールド板と、
上記回路基板のグランド用端子部を貫通して上記ベースと上記トップカバーとを結合するためのねじと、を具備することを特徴とする電子機器。
【請求項２】  請求項１の記載において、上記トップカバーは、炭素繊維を含む合成樹脂材料にて構成されていることを特徴とする電子機器。
【請求項３】  請求項２の記載において、上記トップカバーは、上記キーボード取り付け孔の周囲に上記ベースに向けて突出する複数の凸部を有するとともに、上記シールド板は、上記凸部が貫通可能な通孔を有する複数の支持片を有し、このシールド板は、上記通孔に通された凸部の先端をかしめて潰すことで、上記トップカバーと一体化されていることを特徴とする電子機器。
【請求項４】  キーボード取り付け孔が開口されたトップカバーを有する導電性の筐体と、
上記筐体のキーボード取り付け孔に配置された金属製のシールド板と、を具備し、
上記トップカバーは、上記キーボード取り付け孔の周囲に複数の凸部を有するとともに、上記シールド板は、上記凸部が貫通可能な貫通部を有し、このシールド板は、上記貫通部に通された凸部の先端をかしめて潰すことで、上記トップカバーと一体化されていることを特徴とする電子機器。
【請求項５】  ベースと、
上記ベースに連結されるとともに、キーボード取り付け孔が設けられたトップカバーと、
上記ベースおよび上記トップカバーに夫々設けられ、上記ベースと上記トップカバーとが連結された際に互いに対向する座部と、
上記キーボード取り付け孔に設置されるキーボートと、
上記ベースに設けられ、表面および裏面にグランド用端子部を有するとともに、発熱する回路部品が実装された回路基板と、
上記キーボードの下方に位置するとともに、上記回路部品に熱的に接続されたヒートシンクと、
上記トップカバーの座部と上記回路基板のグランド用端子部との間に介在されて、上記トップカバーの座部と上記グランド用端子部とを電気的に導通させる導通片と、上記キーボードに接触する第１の接触片と、上記ヒートシンクに接触する第２の接触片とを有する金属製のシールド板と、
上記回路基板のグランド用端子部を貫通して上記ベースと上記トップカバーとを結合するためのねじと、を具備することを特徴とする電子機器。
【請求項６】  請求項１又は請求項５の記載において、上記キーボード取り付け孔は、互いに向かい合う第１および第２の開口縁部を有し、上記シールド板は、上記キーボード取り付け孔の第１の開口縁部と第２の開口縁部との間に跨った姿勢で上記トップカバーに支持されていることを特徴とする電子機器。
【請求項７】  請求項５の記載において、上記キーボードは、上記シールド板と向かい合う金属製の補強板を有し、上記シールド板の第１の接触片は、上記補強板に弾性的に押し付けられることを特徴とする電子機器。
【手続補正２】
【補正対象書類名】明細書
【補正対象項目名】００１１
【補正方法】変更
【補正の内容】
【００１１】
【課題を解決するための手段】
上記第１の目的を達成するため、本発明の一つの形態に係る電子機器は、
ベースと、
上記ベースに連結されるとともに、キーボード取り付け孔が設けられたトップカバーと、
上記ベースおよび上記トップカバーに夫々設けられ、上記ベースと上記トップカバーとが連結された際に互いに対向する座部と、
上記キーボード取り付け孔に設置されるキーボードと、
上記ベースに設けられ、表面および裏面にグランド用端子部を有する回路基板と、
上記キーボードと上記回路基板との間に設けられ、上記トップカバーの座部と上記回路基板のグランド用端子部との間に介在されるとともに、上記トップカバーの座部と上記グランド用端子部とを電気的に導通させる導通片を有する金属製のシールド板と、
上記回路基板のグランド用端子部を貫通して上記ベースと上記トップカバーとを結合するためのねじと、を備えていることを特徴としている。
【手続補正３】
【補正対象書類名】明細書
【補正対象項目名】００１２
【補正方法】変更
【補正の内容】
【００１２】
このような構成によれば、シールト板の導通片は、回路基板のグランド用端子部に強固に押し付けられると同時に、トップカバーの座部に直接接触することになり、このトップカバーとシールド板との電気的な導通を強化することができる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
上記第２の目的を達成するため、本発明の他の形態に係る電子機器は、
ベースと、
上記ベースに連結されるとともに、キーボード取り付け孔が設けられたトップカバーと、
上記ベースおよび上記トップカバーに夫々設けられ、上記ベースと上記トップカバーとが連結された際に互いに対向する座部と、
上記キーボード取り付け孔に設置されるキーボートと、
上記ベースに設けられ、表面および裏面にグランド用端子部を有するとともに、発熱する回路部品が実装された回路基板と、
上記キーボードの下方に位置するとともに、上記回路部品に熱的に接続されたヒートシンクと、
上記トップカバーの座部と上記回路基板のグランド用端子部との間に介在されて、上記トップカバーの座部と上記グランド用端子部とを電気的に導通させる導通片と、上記キーボードに接触する第１の接触片と、上記ヒートシンクに接触する第２の接触片とを有する金属製のシールド板と、
上記回路基板のグランド用端子部を貫通して上記ベースと上記トップカバーとを結合するためのねじと、を備えていることを特徴としている。
【手続補正８】
【補正対象書類名】明細書
【補正対象項目名】００１７
【補正方法】変更
【補正の内容】
【００１７】
このような構成によると、シールト板の導通片は、回路基板のグランド用端子部に強固に押し付けられると同時に、トップカバーの座部に直接接触することになり、このトップカバーとシールド板との電気的な導通を強化することができる。
【手続補正９】
【補正対象書類名】明細書
【補正対象項目名】００１８
【補正方法】変更
【補正の内容】
【００１８】
しかも、ヒートシンクに逃された回路部品の熱は、第２の接触片からシールド板に伝えられるとともに、このシールド板から第１の接触片を介してキーボードに逃される。このため、回路部品の熱は、キーボードへの拡散による自然空冷により電子機器の外方に放出されることになり、シールド板を利用して回路部品の放熱性を高めることができる。
【手続補正１０】
【補正対象書類名】明細書
【補正対象項目名】００１９
【補正方法】削除
【補正の内容】
【手続補正１１】
【補正対象書類名】明細書
【補正対象項目名】００７５
【補正方法】変更
【補正の内容】
【００７５】
【発明の効果】
以上詳述した本発明によれば、トップカバーとシールド板との電気的な導通を強化することができ、従来との比較において電子機器の電磁シールド効果を高めることができる。
【手続補正１２】
【補正対象書類名】明細書
【補正対象項目名】００７６
【補正方法】変更
【補正の内容】
【００７６】
さらに、本発明によれば、回路部品の熱をキーボードへの拡散による自然空冷により電子機器の外方に放出することができ、シールド板を利用して回路部品の放熱性を高めることができる。
【手続補正１３】
【補正対象書類名】明細書
【補正対象項目名】００７７
【補正方法】削除
【補正の内容】
【手続補正１４】
【補正対象書類名】明細書
【補正対象項目名】符号の説明
【補正方法】変更
【補正の内容】
【符号の説明】
１０…ベース、１１…トップカバー、１３…キーボード取り付け孔、１８…キーボード、２８…回路基板、２８ａ…裏面、２８ｂ…表面、３０ａ，３０ｂ…グランド用端子部、３４，４０…座部（第２の座部、第３の座部）、４２…ねじ（第２のねじ）、５０…回路部品（ＭＰＵ）、５１…ヒートシンク、６０…シールド板、６６…貫通孔（通孔）、７０…導通片（第１の導通片）、７５…第１の接触片、７６…第２の接触片。
【手続補正１５】
【補正対象書類名】図面
【補正対象項目名】図２
【補正方法】変更
【補正の内容】
【図２】
2000207060.tif 000001
【手続補正１６】
【補正対象書類名】図面
【補正対象項目名】図３
【補正方法】変更
【補正の内容】
【図３】
2000207060.tif 000002
【手続補正１７】
【補正対象書類名】図面
【補正対象項目名】図９
【補正方法】変更
【補正の内容】
【図９】
2000207060.tif 000003